【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
眼に治療薬を送達するための装置であって、
（ａ）本体と、
（ｂ）前記本体から遠位に延在するカニューレであって、患者の眼の脈絡膜と強膜との間に挿入可能であるようにサイズ決めされ構成されており、長手方向軸線を画定する、カニューレと、
（ｃ）針ルーメンを有する中空針であって、前記針は、前記カニューレ内でスライド可能である、中空針と、
（ｄ）作動アセンブリであって、前記針を前記本体に対して作動させるように動作可能であり、
（ｉ）前記本体と回転可能に結合された回転部材と、
（ｉｉ）前記本体と並進可能に結合された並進部材であって、前記回転部材と、また前記針と、動作的に結合されており、前記回転部材の回転に応じて前記本体に対して前記針を作動させるように動作可能である、並進部材と、を備える、作動アセンブリと、
（ｅ）前記装置の近位端から前記針の遠位端まで延在する流体経路であって、前記流体経路の遠位部分が前記針ルーメンによって画定されており、前記流体経路が、眼に治療薬を送達するために前記装置の前記近位端を通じて流体源と連通するように構成されている、流体経路と、を備える、装置。
【請求項２】
前記作動アセンブリが、カニューレ作動アセンブリ及び針作動アセンブリを備える、請求項１に記載の装置。
【請求項３】
前記針作動アセンブリが、前記本体に対する前記カニューレの作動に反応する、請求項２に記載の装置。
【請求項４】
前記針作動アセンブリは、前記カニューレ作動アセンブリが前記本体に対して前記カニューレを作動させたときに、前記針を前記本体に対して作動させるように構成されている、請求項３に記載の装置。
【請求項５】
ロック特徴部を更に備え、前記ロック特徴部が、第１の状態と第２の状態との間で移行するように動作可能であり、前記ロック特徴部が前記第２の状態にあるとき、前記ロック特徴部が、前記カニューレ作動アセンブリをロックし、それによって前記本体に対する前記カニューレの作動を防止するように動作可能である、請求項２に記載の装置。
【請求項６】
前記ロック特徴部が前記第１の状態にあるとき、前記ロック特徴部が、前記針作動アセンブリをロックし、それによって前記カニューレに対する前記針の作動を防止するように動作可能である、請求項５に記載の装置。
【請求項７】
前記ロック特徴部が、カム特徴部を備え、前記カム特徴部が、楕円形の断面形状を有し、前記カム特徴部が、前記ロック特徴部を前記第１の状態と前記第２の状態との間で移行させるように回転可能である、請求項６に記載の装置。
【請求項８】
前記カニューレ作動アセンブリが、カニューレ部材を備え、前記カニューレ部材が、前記本体に対して並進して、前記本体に対して前記カニューレを作動させるように構成されている、請求項２に記載の装置。
【請求項９】
前記カニューレ作動アセンブリが、ラック・ピニオンアセンブリを更に備え、前記ラック・ピニオンアセンブリが、前記カニューレ部材と連通し、前記ラック・ピニオンアセンブリが、前記カニューレ部材の並進を駆動するように構成されている、請求項８に記載の装置。
【請求項１０】
前記カニューレ部材が、前記カニューレ部材の遠位端から前記カニューレ部材の近位端まで延在するルーメンを備え、前記ルーメンが、前記針をスライド可能に受容するように構成されている、請求項８に記載の装置。
【請求項１１】
前記針作動アセンブリが、前記並進部材を含み、前記並進部材の少なくとも一部が、前記カニューレ部材内に挿入可能である、請求項８に記載の装置。
【請求項１２】
前記並進部材が、前記カニューレ部材に対して選択的に並進するように構成されている、請求項１１に記載の装置。
【請求項１３】
前記針作動アセンブリが、作動セレクタを更に備え、前記作動セレクタが、前記並進部材の回転に反応して、前記カニューレ部材に対する前記並進部材の並進のロック解除及び前記本体に対する前記カニューレ部材の並進のロックを同時に行う、請求項１２に記載の装置。
【請求項１４】
カニューレガイドを更に備え、前記カニューレガイドが、前記本体から遠位に延在し、前記カニューレガイドが、前記カニューレを所定の経路に沿って方向付けるように構成されている、請求項１に記載の装置。
【請求項１５】
前記カニューレガイドが、前記カニューレガイドの近位端から遠位端まで延在するルーメンを備え、前記ルーメンが、前記カニューレを受容し、かつ前記カニューレを前記所定の経路に沿って方向付けるように構成されている、請求項１４に記載の装置。
【請求項１６】
眼に治療薬を送達するための装置であって、
（ａ）本体と、
（ｂ）カニューレであって、患者の眼の脈絡膜と強膜との間に挿入可能であるようにサイズ決めされ構成されており、前記カニューレを通って延在するカニューレルーメンを備える、カニューレと、
（ｃ）中空針であって、前記針は、前記カニューレルーメン内にスライド可能に配設されている、中空針と、
（ｄ）作動アセンブリであって、前記針を前記本体に対して作動させるように動作可能であり、
（ｉ）前記本体と回転可能に結合された回転部材と、
（ｉｉ）前記本体と並進可能に結合された並進部材であって、前記回転部材と、また前記針と、動作的に結合されている、並進部材と、
（ｉｉｉ）前記並進部材に取り付けられた突起と、
（ｉｖ）前記本体と動作的に結合され、チャネルを含む、移動可能構造体と、を備え、
前記突起が、前記チャネル内にスライド可能に配設され、前記移動可能構造体が、前記回転部材の回転に応じて、前記突起に係合し、前記本体に対して前記並進部材を駆動し、それによって前記本体に対して前記針を作動させるように、前記本体に対して移動可能である、作動アセンブリと、を備える、装置。
【請求項１７】
前記回転部材が、第１の方向に回転すると前記並進部材を遠位に駆動するように動作可能であり、前記回転部材が、第２の方向に回転すると前記並進部材を近位に駆動するように動作可能である、請求項１６に記載の装置。
【請求項１８】
前記回転部材がホイールを備え、前記作動アセンブリがギヤを更に備え、前記ホイールが、複数の歯部を有し、前記歯部が、前記ギヤの対応する複数の歯部に係合するように構成されており、前記並進部材が、前記ギヤと係合している、請求項１７に記載の装置。
【請求項１９】
前記作動アセンブリが、
（ｉ）前記並進部材に取り付けられた突起と、
（ｉｉ）チャネル壁により画定されたチャネルと、を更に備え、
前記突起が、前記チャネル内にスライド可能に配設され、前記チャネル壁が、前記回転部材の回転に応じて、前記突起に係合し、前記本体に対して前記並進部材を駆動し、それによって前記本体に対して前記針を作動させるように、前記本体に対して移動可能である、請求項１に記載の装置。
【請求項２０】
眼に治療薬を送達するための装置であって、
（ａ）本体と、
（ｂ）前記本体から遠位に延在するガイドと、
（ｃ）前記ガイド内にスライド可能に配設されたカニューレであって、患者の眼の脈絡膜と強膜との間に挿入可能であるようにサイズ決めされ構成されている、カニューレと、
（ｄ）前記カニューレ内にスライド可能に配設された中空針と、
（ｅ）作動アセンブリであって、
（ｉ）前記本体と回転可能に結合された回転部材と、
（ｉｉ）前記本体と並進可能に結合された第１の並進部材であって、前記カニューレが前記第１の並進部材に対して軸方向に固定されている、第１の並進部材と、
（ｉｉｉ）前記第１の並進部材と移動可能に結合された第２の並進部材であって、前記針が前記第２の並進部材に対して軸方向に固定されている、第２の並進部材と、を備え、
前記第１及び第２の並進部材が、前記回転部材の回転に応じて前記本体に対して共に並進し、それによって前記本体に対して前記カニューレ及び前記針を作動させるように動作可能であり、
前記第２の並進部材が、前記カニューレに対して前記針を作動させるように、前記第１の並進部材に対して移動可能である、作動アセンブリと、を備える、装置。